(57)【要約】    【課題】カメラにて撮像される映像を歪みが無く視認性の高い良好な画質でモニタに出画可能とし、また、ピントの調整を容易にする。    【解決手段】玄関子機１のカメラ１００の前面に設けられる凹レンズ１０１の形状を、居室親機２のモニタ２００の形状と同様な実質的に長方形であり当該モニタの表示面の縦横比と当該凹レンズの縦横比をほぼ同一にして、この凹レンズの撮像面の勾配を中央から周縁に沿って水平方向及び垂直方向でそれぞれ異なるように変化させる。また、凹レンズは、カメラの光軸方向Ａに（前後へ）可動自在となるように玄関子機内に搭載する。  【選択図】図１
2008113174.tif 000002
【特許請求の範囲】
【請求項１】
玄関に設置されカメラ（１００）を搭載する玄関子機（１）と、住戸内に設置され前記玄関子機のカメラにて撮像された映像を出画するためのモニタ（２００）を有する居室親機（２）とを備え、
前記玄関子機のカメラの前面には、当該カメラにて撮像される映像を集光するための撮像面が実質的に長方形の凹レンズ（１０１）が設けられ、
前記凹レンズは、前記撮像面が中央から周縁に沿って水平方向（Ｘ−Ｘ）及び垂直方向（Ｙ1−Ｙ1）にそれぞれ異なって変化する勾配（ａ、ｂ）で形状付けされ、前記凹レンズの対角線（Ｂ−Ｂ、Ｃ−Ｃ）上に変曲点（Ｐb、Ｐc）を有することを特徴とするテレビドアホン装置。
【請求項２】
前記凹レンズは、前記玄関子機内に光軸方向（Ａ）に可動自在に搭載されて前記カメラのピントを合わせることを特徴とする請求項１記載のテレビドアホン装置。
【発明の詳細な説明】
【技術分野】
【０００１】
本発明はテレビドアホン装置に係り、特に、玄関子機のカメラにて撮像される映像を、居室親機のモニタに出画可能なテレビドアホン装置に関する。
【背景技術】
【０００２】
従来から、矩形状の映像（画像）サイズを有するカメラを玄関に設置される玄関子機に搭載するにあたり、このカメラ用のレンズとしては、円形のレンズが一般的とされ、円形のレンズが回転してピントを合わせていた（例えば、特許文献１を参照。）。
【０００３】
【特許文献１】特開平７−５３５３公報（段落番号「０００２」等）
【発明の開示】
【発明が解決しようとする課題】
【０００４】
従来例において、円形のレンズをカメラの前面に配置して被写体の撮像エリアを十分に確保するためには、チルト機構が必要とされる。このチルト機能を採用するにあたっては、玄関子機に厚みが生じる虞があった。
【０００５】
その解決手段としては、広角レンズを採用することが知られているが、この広角レンズの周縁部に歪が発生することから、カメラにて撮像される例えば、画面端部に細長い棒状の電信柱を含む来訪者の映像は、「くの字」に曲がっているように（モニタに）出画される虞があり視認性が低く、良好な画質の映像を確保することは困難であった。
【０００６】
本発明は、この難点を解消するためになされたもので、カメラ用の凹レンズの形状を実質的に長方形として、撮像面の勾配を中央から周縁に沿って水平方向及び垂直方向でそれぞれ異なるように変化させることにより、カメラにて撮像される映像を歪みが無く視認性の高い良好な画質でモニタに出画可能とし、さらには、ピントの調整が容易なテレビドアホン装置を提供することを目的としている。
【課題を解決するための手段】
【０００７】
上述の目的を達成するため、本発明の第１の態様であるテレビドアホン装置は、玄関に設置されカメラを搭載する玄関子機と、住戸内に設置され玄関子機のカメラにて撮像された映像を出画するためのモニタを有する居室親機とを備えたものである。玄関子機のカメラの前面には、当該カメラにて撮像される映像を集光するための撮像面が実質的に長方形の凹レンズが設けられている。凹レンズは、撮像面が中央から周縁に沿って水平方向及び垂直方向にそれぞれ異なって変化する勾配で形状付けされ、凹レンズの対角線上に変曲点を有している。
【０００８】
また、本発明の第２の態様であるテレビドアホン装置は、本発明の第１の態様において、凹レンズは、玄関子機内に光軸方向に可動自在に搭載されてカメラのピントを合わせるものである。
【発明の効果】
【０００９】
本発明のテレビドアホン装置によれば、玄関子機のカメラの前面に設けられる凹レンズの形状を、居室親機のモニタの形状と同様な実質的に長方形であり当該モニタの表示面の縦横比と当該凹レンズの縦横比をほぼ同一にして、この凹レンズの撮像面の勾配を中央から周縁に沿って水平方向及び垂直方向でそれぞれ異なるように変化させることにより、カメラにて撮像される映像を歪みが無く視認性の高い良好な画質でモニタに出画可能となる。また、凹レンズは、カメラの光軸方向に（前後へ）可動自在となるように玄関子機内に搭載されるため、凹レンズを回転せずにカメラのピント合わせることができ、ピントの調整が容易となる。
【発明を実施するための最良の形態】
【００１０】
以下、本発明のテレビドアホン装置を適用した最良の実施の形態例について、図面を参照して説明する。
【００１１】
図１（ａ）は、本発明の実施例によるテレビドアホン装置の全体構成を示すシステム説明図である。このテレビドアホン装置は、玄関に設置される玄関子機１と、住戸内に設置される居室親機２とで構成され、玄関子機１及び居室親機２の間は、伝送路Ｌを経由して接続されている。また、図１（ｂ）は、玄関子機１が有する映像撮像機能の概略構成を示す説明図である。
【００１２】
図１（ａ）において、玄関子機１には、玄関に居る人物、例えば、来訪者の映像や当該玄関の周囲近傍の映像を撮像するためのカメラ１００が搭載されており、カメラ１００の前面には、当該カメラにて撮像される被写体の映像を集光するための撮像面が実質的に長方形の凹レンズ１０１が配置されている。この凹レンズ１０１は、図１（ｂ）に示すように、光軸方向Ａに（前後へ）可動自在で玄関子機１内に搭載されており、カメラ１００のピントを合わせる機能を有している。なお、カメラ１００としては、例えば、ＣＣＤ、ＣＭＯＳ等の各種の撮像素子が好適とされる。
【００１３】
なお、玄関子機１には、前述の映像撮像機能を構成するカメラ１００及び凹レンズ１０１の他に、通常、来訪者が住戸内に在室中の居住者を呼び出すための呼出機能（図示及び詳述せず。）と、来訪者が居住者との間で通話を成立させるための通話機能（図示及び詳述せず。）とが備えられている。
【００１４】
また、居室親機２には、玄関子機１のカメラ１００にて撮像された映像を出画するためのモニタ２００を有している。このモニタ２００としては、例えば、ＬＣＤ、ＰＤＰ、有機ＥＬディスプレイ等の各種の表示媒体が好適とされ、当該モニタの表示面は、前述の玄関子機１の凹レンズ１０１と同様、実質的に長方形で形成されており、この表示面の縦横比と当該凹レンズの縦横比をほぼ同一である。
【００１５】
なお、居室親機２には、前述の映像出画機能を構成するモニタ２００の他に、通常、来訪者からの呼び出しを報知するための呼出報知機能（図示及び詳述せず。）と、居住者が来訪者との間で通話を成立させるための通話機能（図示及び詳述せず。）と、居住者が来訪者からの呼び出しに応答するための呼出応答機能（図示及び詳述せず。）とが備えられている。
【００１６】
図２（ａ）は、本発明の実施例によるテレビドアホン装置の玄関子機１において、凹レンズ１０１の正面図、図２（ｂ）は、凹レンズ１０１の中央Ｐ0より周縁に沿って水平方向Ｘ−Ｘからみた場合の一例を示す側面断面図、図２（ｃ）は、凹レンズ１０１の中央Ｐ0より周縁に沿って垂直方向Ｙ1−Ｙ1からみた場合の一例を示す側面断面図、図２（ｄ）は、凹レンズ１０１の中央Ｐ0から右方向へ平行移動させ周縁に沿って垂直方向Ｙ2−Ｙ2からみた場合の一例を示す側面断面図である。
【００１７】
図２（ａ）において、凹レンズ１０１の四隅はそれぞれ面取り加工（Ｒ加工）されている。また、図２（ａ）、（ｂ）、（ｃ）、（ｄ）において、凹レンズ１０１には、撮像面の勾配が中央Ｐ0から周縁に沿って水平方向Ｘ−Ｘ及び垂直方向Ｙ1−Ｙ1にそれぞれ異なって変化するように当該勾配ａ、ｂが形状付けされており、図中の変曲点Ｐb、Ｐcはそれぞれ、凹レンズ１０１の対角線Ｂ−Ｂと垂直方向Ｙ2−Ｙ2との交差する点、凹レンズ１０１の対角線Ｃ−Ｃと垂直方向Ｙ2−Ｙ2との交差する点を有している。なお、凹レンズ１０１に示されている複数の補助線Ｌ1、Ｌ2、Ｌ3はそれぞれ、前述の勾配ａ、ｂを表すために必要とされるものであり、当該レンズの表面に実際に付されているものではない。
【００１８】
このように構成された本発明の実施例によるテレビドアホン装置において、以下、具体的な動作について説明する。
【００１９】
図１（ａ）において、住戸内に在室中の居住者を呼び出すために、例えば、玄関に居る来訪者が玄関子機１の呼出機能を能動にすると、これを検出した居室親機２では、呼出報知機能が能動となり来訪者からの呼び出しがある旨の呼出報知が行われるとともに、モニタ２００が出画／表示状態に制御される。なお、居室親機２では、来訪者からの呼び出しがある旨の文字メッセージや絵データ等をモニタ２００に表示させることもできる。
【００２０】
また、来訪者からの呼び出しがあることを検出した居室親機２は、玄関子機１のカメラ１００及び凹レンズ１０１を駆動制御することができる。この凹レンズ１０１は、図１（ｂ）に示すように、光軸方向Ａに（前後へ）可動自在となるように玄関子機１内に搭載されているため、当該凹レンズが回転せずともカメラ１００のピントを合わせることが容易であり、このカメラ１００は、ピントが合わされた被写体の映像を集光して当該映像の撮像を開始する。
【００２１】
ここで、図２（ａ）、（ｂ）、（ｃ）に示すように、玄関子機１の凹レンズ１０１は、カメラ１００にて撮像される映像を集光するための撮像面が実質的に長方形の形状を有し、撮像面の勾配が中央Ｐ0から周縁に沿って水平方向Ｘ−Ｘ及び垂直方向Ｙ1−Ｙ1にそれぞれ異なって変化するように当該勾配ａ、ｂが形状付けされており、また、当該凹レンズの対角線Ｂ−Ｂ、Ｃ−Ｃ上には、図２（ｄ）に示す勾配が緩やかな変曲点Ｐb、Ｐcを有しているため、補助線Ｌ1、Ｌ2、Ｌ3が折れ曲がることに起因して大きくなる映像の歪みを容易に防止することができ、例えば、被写体として来訪者のみならず、画面端部に細長い棒状の電信柱が含まれている場合でも、カメラ１００にて撮像される映像は、「くの字」になるような歪みを発生せずに済む。このカメラ１００にて撮像された映像であり電気信号に信号処理された映像信号は、図１（ａ）に示す伝送路Ｌを経由して居室親機２に伝送される。
【００２２】
図１（ａ）において、居室親機２では、玄関子機１の凹レンズ１０１の形状とモニタ２００の形状とが実質的に長方形で同様であるため、伝送路Ｌを経由して伝送されてきた映像信号を信号処理するにあたり、当該玄関子機のカメラ１００にて撮像された映像である歪が防止された被写体の映像、例えば、画面端部に細長い棒状の電信柱を含む来訪者の映像を視認性の高い良好な画質でモニタ２００に出画させることができる。
【００２３】
また、居室親機２の呼出報知機能をもとに来訪者からの呼び出しがあることを確認し、さらには、モニタ２００に出画された映像をもとに来訪者を判別した居住者が呼応答機能を能動にすると、居住者が使用する居室親機２の通話機能と伝送路Ｌを経由して来訪者が使用する玄関子機１の通話機能との間の通話ラインが形成され、この通話ラインを経由して音声信号を送受信させることで通話が成立する。
【００２４】
なお、本発明のテレビドアホン装置においては、特定の実施の形態をもって説明してきたが、この形態に限定されるものでなく、本発明の効果を奏する限り、これまで知られた如何なる構成のテレビドアホン装置、例えば、１台の玄関子機１及び１台の居室親機２のみならず、より複数台の玄関子機及び居室親機を有するテレビドアホン装置であっても採用できるということはいうまでもないことである。
【図面の簡単な説明】
【００２５】
【図１】本発明の実施例によるテレビドアホン装置において、図１（ａ）は、当該テレビドアホン装置の全体構成を示すシステム説明図であり、図１（ｂ）は、当該テレビドアホン装置の玄関子機が有する映像撮像機能の概略構成を示す説明図である。
【図２】本発明の実施例によるテレビドアホン装置の玄関子機において、図２（ａ）は、凹レンズの正面図、図２（ｂ）は、凹レンズの中央より周縁に沿って水平方向からみた場合の一例を示す側面断面図、図２（ｃ）は、凹レンズの中央より周縁に沿って垂直方向からみた場合の一例を示す側面断面図、図２（ｄ）は、凹レンズの中央から右方向へ平行移動させ周縁に沿って垂直方向からみた場合の一例を示す側面断面図である。
【符号の説明】
【００２６】
１……玄関子機
１００……カメラ
１０１……凹レンズ
Ａ……（カメラの）光軸方向
Ｘ−Ｘ……（凹レンズの中央より周縁に沿った）水平方向
Ｙ1−Ｙ1……（凹レンズの中央より周縁に沿った）垂直方向
Ｂ−Ｂ、Ｃ−Ｃ……（凹レンズの）対角線
ａ、ｂ……勾配
Ｐb、Ｐc……変曲点
２……居室親機
２００……モニタ
【図１】
2008113174.tif 000003
【図２】
2008113174.tif 000004